(57)【要約】【課題】下枠および障子間に砂塵が入り込みにくい引き違い窓を提供すること。【解決手段】引き違い窓１は、窓枠２および窓枠２内に配置された外障子４および内障子５を備える。窓枠２は、上枠２１、下枠２２および左右の縦枠を備える。下枠２２は、外障子４および内障子５が載置される外レール部２８および内レール部２９を有する。外障子４および内障子５は、上框４１，５１、下框４２，５２および左右の縦框によって構成される框内に面材４５，５５を備える。外レール部２８には排水口３０が形成され、排水口３０には排水部品３１が装着される。下框４２の屋外見付け面は、下枠２２のうち閉鎖位置にある外障子４の下框４２に対する下側部分における屋外端面よりも屋外側に配置されている。【選択図】図２
2020169483.tif 000002
【特許請求の範囲】
【請求項１】
窓枠および前記窓枠内に配置された複数の障子を備えた引き違い窓であって、
前記窓枠は、上枠、下枠および左右の縦枠を備え、
前記下枠は、前記複数の障子が載置される複数のレール部を有し、
前記複数の障子のそれぞれは、上框、下框および左右の縦框によって構成される框内に面材を備え、
前記複数のレール部のうち最も屋外側に位置するレール部には屋外側に連通する排水口が形成され、
前記排水口には、屋外側からの水および砂塵の吹き込みを防止する排水部品が装着され、
前記複数の障子のうち最も屋外側に位置する障子の前記下框の屋外見付け面は、前記下枠の屋外端面よりも屋外側に配置されている
ことを特徴とする引き違い窓。
【請求項２】
請求項１に記載の引き違い窓において、
前記上枠は、上枠本体部と、前記上枠本体部から屋外側に延出したカバー片部とを有し、
前記上框の屋外見付け面は前記上枠本体部の屋外見付け面よりも屋外側に配置され、
前記カバー片部は、前記複数の障子のうち最も屋外側に位置する障子の上框における上縁を屋外側から覆っている
ことを特徴とする引き違い窓。
【請求項３】
請求項１または請求項２に記載の引き違い窓において、
前記複数の障子のうち最も屋外側に位置する障子における左右の縦框のうち戸先側の縦框の屋外見付け面は、前記左右の縦枠のうち戸先側の縦枠の屋外見付け面よりも屋外側に配置されている
ことを特徴とする引き違い窓。
【請求項４】
請求項１から請求項３のいずれか一項に記載の引き違い窓において、
前記下枠は、前記複数のレール部が延出した下枠本体部を有し、
前記複数のレール部のうち最も屋外側に位置するレール部は、前記下枠本体部から上方に延出した立上げ片部と、前記立上げ片部から屋外側に延出した上片部と、前記上片部の屋外端部から下方に延出した屋外片部とを有し、
前記複数の障子のうち最も屋外側に位置する障子の下框は、前記屋外片部に当接するシール材が装着された屋外見付け面部を有し、
前記排水口は前記立上げ片部に形成されている
ことを特徴とする引き違い窓。
【請求項５】
請求項１から請求項４のいずれか一項に記載の引き違い窓において、
前記下枠は、前記複数のレール部間において屋外側が屋内側より低い位置となるように見込み方向に対して傾斜した見込み面部を有している
ことを特徴とする引き違い窓。
【請求項６】
請求項１から請求項５のいずれか一項に記載の引き違い窓において、
前記複数のレール部のうち最も屋外側に位置するレール部の上端は、当該レール部よりも屋内側に位置するレール部の上端よりも低い位置に配置されている
ことを特徴とする引き違い窓。
【発明の詳細な説明】
【技術分野】
【０００１】
本発明は、窓枠内に外障子および内障子を左右方向に移動可能に配置した引き違い窓に関する。
【背景技術】
【０００２】
従来、サッシ枠と、サッシ枠内に開閉可能に配置された外障子および内障子を備えるサッシ（引き違い窓）が知られている（特許文献１参照）。サッシ枠は、上枠、下枠および左右の竪枠を枠組みして構成される。下枠の上面には外レールおよび内レールが立設されており、外レールには外障子が左右方向に移動可能に載せられ、内レールには内障子が左右方向に移動可能に載せられている。
このサッシでは、下枠の屋外見付け面部に排水孔を形成し、外レールおよび内レール間に浸入した雨水を下枠の中空部を通して排水孔から排水可能に構成されており、排水孔には排水弁が装着されている。
【先行技術文献】
【特許文献】
【０００３】
【特許文献１】特開２０１１−２０８４４７号公報
【発明の概要】
【発明が解決しようとする課題】
【０００４】
ところで、特許文献１に記載のサッシでは、砂塵の多い地域において砂塵が排水孔から中空部へ入り込むことを排水弁によって防ぎきれない場合が考えられ、砂塵が下枠の中空部に入り込んでしまうと排出するのが困難である。
ここで、下枠の中空部に貫通する排水孔に代えて、外レールに排水口を形成し、この排水口から外レールおよび内レール間の水を排水可能に構成することで、下枠の中空部へ砂塵が入り込むことをなくすことが考えられる。
しかし、前述したサッシでは、下枠は外障子よりも室外側に突出して形成されているので、下枠の上に砂塵が溜まりやすく、下枠および外障子間において砂塵が排水口を塞いでしまうおそれがあり、所定の排水性を保つことが困難である。
【０００５】
本発明は、下枠および外障子間における排水性を保つことができる引き違い窓を提供することを目的とする。
【課題を解決するための手段】
【０００６】
本発明の引き違い窓は、窓枠および前記窓枠内に配置された複数の障子を備えた引き違い窓であって、前記窓枠は、上枠、下枠および左右の縦枠を備え、前記下枠は、前記複数の障子が載置される複数のレール部を有し、前記複数の障子のそれぞれは、上框、下框および左右の縦框によって構成される框内に面材を備え、前記複数のレール部のうち最も屋外側に位置するレール部には屋外側に連通する排水口が形成され、前記排水口には、屋外側からの水および砂塵の吹き込みを防止する排水部品が装着され、前記複数の障子のうち最も屋外側に位置する障子の前記下框の屋外見付け面は、前記下枠の屋外端面よりも屋外側に配置されていることを特徴とする。
【発明の効果】
【０００７】
本発明によれば、下枠および外障子間における排水性を保つことができる引き違い窓を提供することができる。
【図面の簡単な説明】
【０００８】
【図１】本発明の第１実施形態に係る引き違い窓を示す外観姿図。
【図２】第１実施形態に係る引き違い窓を示す縦断面図。
【図３】第１実施形態に係る引き違い窓を示す横断面図。
【図４】本発明の第２実施形態に係る引き違い窓を示す外観姿図。
【図５】第２実施形態に係る引き違い窓を示す縦断面図。
【図６】第２実施形態に係る引き違い窓を示す横断面図。
【図７】本発明の第１変形例に係る要部を示す縦断面図。
【図８】本発明の第２変形例に係る要部を示す縦断面図。
【発明を実施するための形態】
【０００９】
［第１実施形態］
以下、本発明の第１実施形態を図面に基づいて説明する。
図１〜図３において、第１実施形態に係る建具である引き違い窓１は、図示しない建物躯体の開口部に設置されるものである。引き違い窓１は、窓枠２と、左右引き違い形式にスライド可能に窓枠２内に配置された障子である外障子４および内障子５とを備えている。
以下の説明において、引き違い窓１の左右方向をＸ軸方向とし、引き違い窓１の上下方向をＹ軸方向とし、引き違い窓１の見込み方向（屋内外方向）をＺ軸方向とする。Ｘ，Ｙ，Ｚ軸方向は互いに直交する。
【００１０】
窓枠２は、アルミ押出形材によって形成された上枠２１、下枠２２および左右の縦枠２３，２４を枠組みして構成されている。
【００１１】
上枠２１は、中空枠状の上枠本体部２１０と、上枠本体部２１０から下方に延出した外レール部２５（レール部）および内レール部２６（レール部）と、外障子４の上縁をカバーするカバー片部２７とを有している。
上枠本体部２１０は、屋内見付け面部２１１と、屋内見付け面部２１１に連続した外周見込み面部２１２および内周見込み面部２１３（見込み面部）と、外周見込み面部２１２および内周見込み面部２１３の屋外端部に連続した屋外見付け面部２１４とを有して断面略矩形状に形成されている。カバー片部２７は、屋外見付け面部２１４の屋外見付け面から屋外側に延出していると共に下方に湾曲形成されており、カバー片部２７の下縁２７Ａは、外障子４の上縁（上框４１の屋外側上縁）よりも屋外下方側に位置している。
外レール部２５は、内周見込み面部２１３の屋外端部側から下方に延出した屋内外一対の垂下片部２５１，２５２と、垂下片部２５１，２５２の下端に連続した下片部２５３とを有している。内レール部２６は、内周見込み面部２１３の屋内端部側から下方に延出した屋内外一対の垂下片部２６１，２６２と、垂下片部２６１，２６２の下端に連続した下片部２６３とを有している。
【００１２】
下枠２２は、中空枠状の下枠本体部２２０と、下枠本体部２２０から上方に延出した外レール部２８（レール部）および内レール部２９（レール部）とを有して一体に形成されている。
下枠本体部２２０は、屋内見付け面部２２１と、屋内見付け面部２２１に連続した外周見込み面部２２２および内周見込み面部２２３（見込み面部）と、外周見込み面部２２２および内周見込み面部２２３の屋外端部を連結した連結部２２４と、外周見込み面部２２２および連結部２２４の連続部分から屋外側に延出した断面略コ字形状の延出部２２５とを有している。屋内見付け面部２２１の下部は、外周見込み面部２２２よりも下方に延出して断面略Ｌ字状に形成されていると共に、延出部２２５に対してＺ軸方向の間隔を隔てて対向している。内周見込み面部２２３のうち外レール部２８および内レール部２９間に位置する部分は、屋外側が屋内側よりも低い位置となるようにＺ軸方向に対して傾斜した傾斜部２２３Ａとして形成されている。
外レール部２８は、内周見込み面部２２３の屋外端部から上方に延出した立上げ片部２８１と、立上げ片部２８１の上端から屋外側に向かってＺ軸方向に延出した上片部２８３と、上片部２８３の屋外端部から下方に延出した屋外片部２８４とを有しており、上片部２８３は、上方に突出してＸ軸方向に沿った当接部２８３Ａを有している。当接部２８３Ａには、外障子４の戸車４６がＸ軸方向に走行可能に載せられている。下枠２２の屋外見付け面部の一部を構成している立上げ片部２８１には、外レール部２８および内レール部２９間に浸入した水を排水する排水口３０が形成されている。排水口３０は、後述する屋内側領域３５Ｂを屋外側へ連通している。排水口３０には、屋外側から排水口３０に砂塵や水が吹き込むことを防ぐ排水部品３１が装着されている。本実施形態では、排水部品３１は、平時においては排水口３０を閉塞する一方、屋内側領域３５Ｂに水が溜まって所定圧以上の水圧が加わった際に排水口３０を開放する開閉弁によって形成されている。
内レール部２９は、内周見込み面部２２３の屋内端部側から上方に延出した屋内外一対の立上げ片部２９１，２９２と、立上げ片部２９１，２９２の上端に連続した上片部２９３とを有しており、上片部２９３は、上方に突出してＸ軸方向に沿った当接部２９３Ａを有している。当接部２９３Ａには、内障子５の戸車５６がＸ軸方向に走行可能に載せられている。
下枠２２では、そのＸ軸方向における中央位置であって外レール部２８および内レール部２９の間の位置に風止板３２が設置されている。風止板３２は、引き違い窓１の閉鎖状態において、後述する召合せ縦框４４，５４の下側の位置で屋内外空間を仕切っており、屋外側から屋内側に風、水や砂が入り込むことを防いでいる。また、風止板３２は、外レール部２８および内レール部２９間の領域をＸ軸方向において屋外側領域３５Ａと、屋内側領域３５Ｂとに仕切っている。
外レール部２８の上片部２８３は、傾斜部２２３Ａの傾斜に対応して、内レール部２９の上片部２９３よりも低い位置に配置されている。これにより、内障子５の後述する下框５２をつたって当該下框５２および縦框５４で構成されるコーナー部から外障子４に対して屋内側に浸入する水の量が排水口３０からの排水量を上回って外レール部２８および内レール部２９間に水が溜まる場合において、水の水位が外レール部２８を越える程度まで高くなれば、水は外レール部２８を越えて屋外側に排水されるので、水が内レール部２９を越えて屋内側に浸入することがない。
【００１３】
縦枠２３は、中空枠状の縦枠本体部２３０と、縦枠本体部２３０の内周側に配置された外延出部２３５（延出部）および内延出部２３６（延出部）とを有している。
縦枠本体部２３０は、屋内見付け面部２３１と、屋内見付け面部２３１に連続した外周見込み面部２３２および内周見込み面部２３３（見込み面部）と、外周見込み面部２３２および内周見込み面部２３３の屋外端部に連続した屋外見付け面部２３４とを有して断面略矩形状に形成されている。外延出部２３５および内延出部２３６は、内周見込み面部２３３からＸ軸方向において内周側に延出した一対の側片部２３７，２３８と、側片部２３７，２３８間に差し込まれて係合した断面略コ字状のキャップ部材２３９とによってそれぞれ構成されている。側片部２３７は、屋内見付け面部２３１に対してＸ軸方向に沿って位置している。
なお、縦枠２４は、縦枠２３と概略同様に構成されており、Ｘ軸方向において左右逆向きに配置されているので、縦枠２４についての詳細な説明を省略し、縦枠２４の各構成については、縦枠２３の各構成と同符号を図に適宜付す。
【００１４】
外障子４は、上框４１、下框４２、左右の縦框４３，４４および面材４５を框組みして構成されており、内障子５は、上框５１、下框５２、左右の縦框５３，５４および面材５５を框組みして構成されている。上框４１，５１、下框４２，５２、左右の縦框４３，５３，４４，５４は、アルミ押出形材によって形成されている。下框４２，５２には、下枠２２の外レール部２８および内レール部２９に走行可能に載せられる戸車４６，５６が取り付けられている。面材４５，５５は、複層のガラスパネルによって形成されているが、これに限らず、単層のガラスパネルであってもよい。
【００１５】
上框４１は、屋内見付け面部４１１と、屋内見付け面部４１１に連続した外周見込み面部４１２および内周見込み面部４１３（見込み面部）と、外周見込み面部４１２および内周見込み面部４１３の屋外端部に連続した屋外見付け面部４１４とを有している。屋内見付け面部４１１および屋外見付け面部４１４は内周見込み面部４１３よりも下方に延出しており、屋内見付け面部４１１、屋外見付け面部４１４および内周見込み面部４１３によって面材４５の上縁部を保持する面材保持溝４１５が形成されている。屋内見付け面部４１１および屋外見付け面部４１４の下縁部には、面材４５の屋内面および屋外面に当接するガスケット４７がそれぞれ装着されている。屋内見付け面部４１１および屋外見付け面部４１４は、外周見込み面部４１２よりも上方に延出しており、屋内見付け面部４１１、屋外見付け面部４１４および外周見込み面部４１２によって外レール部２５が配置されるレール溝４１７が形成されている。屋内見付け面部４１１および屋外見付け面部４１４の上縁部には外レール部２５に当接するシール材４８がそれぞれ装着されており、シール材４８によってレール溝４１７を塞いでいる。
また、前述した上框４１の屋外見付け面部４１４の屋外見付け面は、上枠本体部２１０の屋外見付け面部２１４における屋外見付け面よりも屋外側に配置され、その屋外側上縁は外レール部２５に対して屋外側にあるが、上框４１が外レール部２５に嵌合した状態で前記屋外側上縁が上枠２１のカバー片部２７に覆われるので、外障子４の上部から屋内側に砂塵や水が浸入することが抑制されている。
【００１６】
下框４２は、屋内見付け面部４２１と、屋内見付け面部４２１に連続した外周見込み面部４２２および内周見込み面部４２３（見込み面部）と、外周見込み面部４２２および内周見込み面部４２３の屋外端部に連続した屋外見付け面部４２４とを有している。屋内見付け面部４２１および屋外見付け面部４２４は内周見込み面部４２３よりも上方に延出しており、屋内見付け面部４２１、屋外見付け面部４２４および内周見込み面部４２３によって面材４５の下縁部を保持する面材保持溝４２５が形成されている。屋内見付け面部４２１および屋外見付け面部４２４の上縁部には、面材４５の屋内面および屋外面に当接するガスケット４７がそれぞれ装着されている。屋内見付け面部４２１および屋外見付け面部４２４は、外周見込み面部４２２よりも下方に延出しており、屋内見付け面部４２１、屋外見付け面部４２４および外周見込み面部４２２によって戸車４６が設置されるレール溝４２７が形成されている。レール溝４２７には、下枠２２の外レール部２８の上片部２８３が入り込んでいる。屋内見付け面部４２１および屋外見付け面部４２４の下縁部には外レール部２８の立上げ片部２８１および屋外片部２８４に当接するシール材４８が装着されており、シール材４８によってレール溝４２７を塞いでいる。
この下框４２では、戸車４６が外レール部２８の当接部２８３Ａに載せられた状態において屋外見付け面部４２４の屋外見付け面（特に、閉鎖位置にある外障子４に対する下側部分）が下枠２２の全体（特に、閉鎖位置にある外障子４に対する下側部分における下枠２２の屋外端面）よりもＺ軸方向において屋外側に位置している。なお、下枠２２の屋外端面は、外レール部２８、連結部２２４および延出部２２５によって形成されている。
【００１７】
縦框４３は、第１実施形態では戸先縦框とされており、屋内見付け面部４３１と、屋内見付け面部４３１に連続した外周見込み面部４３２および内周見込み面部４３３（見込み面部）と、外周見込み面部４３２および内周見込み面部４３３の屋外端部に連続した屋外見付け面部４３４とを有している。屋内見付け面部４３１および屋外見付け面部４３４は内周見込み面部４３３よりもＸ軸方向において内周側に延出しており、屋内見付け面部４３１、屋外見付け面部４３４および内周見込み面部４３３によって面材４５の戸先側の縦縁部を保持する面材保持溝４３５が形成されている。屋内見付け面部４３１および屋外見付け面部４３４の内周端部には、面材４５の屋内面および屋外面に当接するガスケット４７が装着されている。屋内見付け面部４３１および屋外見付け面部４３４は、外周見込み面部４３２よりもＸ軸方向において外周側に延出しており、屋内見付け面部４３１、屋外見付け面部４３４および外周見込み面部４３２によって凹溝４３７が形成されている。屋内見付け面部４３１および屋外見付け面部４３４の外周端部には縦枠２３の外延出部２３５における側片部２３７，２３８に当接するシール材４８が装着されており、シール材４８によって凹溝４３７を塞いでいる。屋内見付け面部４３１に装着されたシール材４８は、当該縦框４３および下框４２が突き合わされたコーナー部において、下框４２の屋内見付け面部４２１に装着されたシール材４８と突き合わされており、このシール材４８同士の突合せ部分にスポンジ等の止水材４９（図３参照）が更に設けられている。これにより、屋内外の気圧差による前記コーナー部から屋内側への水の引き込みを抑制している。
この縦框４３では、屋外見付け面部４３４の屋外見付け面が縦枠２３の全体（特に屋外見付け面部２３４の屋外見付け面）よりもＺ軸方向において屋外側に位置している。なお、屋内見付け面部４３１には、引手３３が取り付けられている。
【００１８】
縦框４４は、第１実施形態では召合せ縦框とされており、屋内見付け面部４４１、屋内見付け面部４４１に連続した外周見込み面部４４２および内周見込み面部４４３（見込み面部）と、外周見込み面部４４２および内周見込み面部４４３の屋外端部に連続した屋外見付け面部４４４とを有している。屋内見付け面部４４１および屋外見付け面部４４４は内周見込み面部４４３よりもＸ軸方向において内周側に延出しており、屋内見付け面部４４１、屋外見付け面部４４４および内周見込み面部４４３によって面材４５の召合せ側の縦縁部を保持する面材保持溝４４５が形成されている。屋内見付け面部４４１および屋外見付け面部４４４の内周端部には、面材４５の屋内面および屋外面に当接するガスケット４７が装着されている。また、縦框４４は、屋内見付け面部４４１から延出した鉤状の煙返し片部４４６を有しており、屋内見付け面部４４１には、煙返し片部４４６よりもＸ軸方向において外周側に位置するヒレ状のシール材４４７が装着されている。シール材４４７は、その先端が内障子５の縦框５４（屋内側の召合せ縦框）の屋外見付け面部４４４に当接することで、縦框４４，５４間の隙間を塞いでいる。
この縦框４４の屋外見付け面部４４４は、縦框４３の屋外見付け面部４３４と同じ見込み位置に配置されている。
【００１９】
内障子５の上框５１、下框５２、左右の縦框５３，５４および面材５５は、外障子４の上框４１、下框４２、左右の縦框４３，４４および面材４５と概略同様に構成されているので、内障子５の各構成についての詳細な説明を省略し、外障子４の各構成と符号を図に適宜付す。なお、下框４２の見付け寸法は、下框５２の見付け寸法よりも大きい寸法とされており、下框４２，５２の上縁の高さ位置が同じ位置に揃えられている。また、召合せ縦框を構成する縦框５４の屋外見付け面部４４４に装着されたヒレ状のシール材４４７は縦框４４の屋内見付け面部４４１に当接する。
【００２０】
以上の引き違い窓１では、外障子４の屋内見付け面部４１１，４２１，４３１に装着されたシール材４８と、風止板３２および縦框５４のシール材４４７と、内障子５の屋内見付け面部４１１，４２１，４３１に装着されたシール材４８とによって屋内外間を止水する止水ラインが形成される。
【００２１】
次に、第１実施形態に係る引き違い窓１の作用について説明する。
砂塵が多い地域に引き違い窓１が設置された場合、砂塵が窓枠２および外障子４間に入り込もうとするが、外障子４の屋外見付け面部４１４，４２４，４３４に装着されたシール材４８が窓枠２および外障子４間に対する砂塵の入り込みを防ぐ。また、外障子４の屋内見付け面部４４１に装着されたシール材４４７および風止板３２は縦框４４，５４間に対する砂塵の入り込みを防ぐ。
また、砂塵が窓枠２および内障子５間に入り込もうとするが、内障子５の屋外見付け面部４１４，４２４，４３４に装着されたシール材４８が窓枠２および内障子５間に対する砂塵の入り込みを防ぐ。
ここで、下框４２の屋外見付け面部４２４が下枠２２の全体（特に屋外端面）よりも屋外側に配置されているので、下框４２が下枠２２に対する屋根としての機能を備えている。このため、屋外側で舞う砂塵が下框４２および下枠２２間に入り込みにくい構造にできる。また、外レール部２８には、立上げ片部２８１から屋外側に延出した上片部２８３および上片部２８３から下方に延出した屋外片部２８４によって砂返し構造が構成されており、これによっても、下框４２および下枠２２間に砂塵が入り込みにくくなっている。また、上枠２１のカバー片部２７が上框４１の屋外上縁部を覆っているので、上框４１上に砂塵が積もることを抑制している。このように砂塵が多い地域であっても引き違い窓１を通常使用できる。なお、縦枠２４および縦框４４間において下枠２２上に溜まる砂塵は掃き出したり、流水をかけたりすることによって簡単に除去できる。
【００２２】
雨天時には、屋外側から引き違い窓１に雨水が吹き付けられるが、屋内側への雨水の浸入は前述した止水ラインによって抑制される。
ここで、雨水は毛細管現象や運動エネルギーによって内障子５の框内に浸入し得る。下框５２内に浸入した雨水はシール材４８上にある程度溜まるので、このように溜まる雨水の重みによって、屋外側から下框５２および内レール部２９間に浸入しようとする雨水を押し返す力を発生できる。また、下框５２および縦框５４が突き合わされるコーナー部から流れ落ちる雨水は、図２に示す矢印１１に沿って外レール部２８および内レール部２９間の屋内側領域３５Ｂに入り、下枠２２の内周見込み面部２２３上を通って排水口３０から屋外側へ排水される。もし雨量が多くて屋内側領域３５Ｂに浸入する雨水の量が排水口３０からの排水量を上回って溜まり、雨水の水位が外レール部２８を越えようとする場合、屋内側領域３５Ｂにある雨水は矢印１２で示すように外レール部２８を越えて屋外側へ排水される。
【００２３】
［第２実施形態］
以下、本発明の第２実施形態を図面に基づいて説明する。
図４〜図６において、第２実施形態に係る建具である引き違い窓１Ｂは、図示しない建物躯体の開口部に設置されるものである。引き違い窓１Ｂは、窓枠２Ｂと、左右引き違い形式にスライド可能に窓枠２Ｂ内に配置された障子である外障子４Ｂ、中障子６Ｂおよび内障子５Ｂとを備えている。
以下の説明において、引き違い窓１Ｂの左右方向、上下方向および見込み方向をそれぞれＸ，Ｙ，Ｚ軸方向とする。Ｘ，Ｙ，Ｚ軸方向は互いに直交する。
【００２４】
窓枠２Ｂは、上枠２１Ｂ、下枠２２Ｂおよび左右の縦枠２３Ｂ，２４Ｂを枠組みして構成されている。
上枠２１Ｂは、前述した上枠２１と比べて、外周見込み面部２１２および内周見込み面部２１３の見込み寸法が大きくされ且つ外レール部２５および内レール部２６の間に中レール部１３（レール部）を有する点で相違し、これらの点以外は概略同様に構成されているので、図に同符号を適宜付す。中レール部１３は、内周見込み面部２１３から延出した一対の垂下片部１３１，１３２および下片部１３３を有している。
下枠２２Ｂは、前述した下枠２２と比べて、内周見込み面部２２３が連結部２２４よりも屋外側に延びており、その屋外端部に延出部２２５が形成されている点と、外レール部２８および内レール部２９の間に中レール部１４（レール部）を有する点で相違し、これらの点以外は概略同様に構成されているので、図に同符号を適宜付す。中レール部１４は、立上げ片部１４１、上片部１４２および屋外片部１４３を有して外レール部２８と概略同様に構成されており、上片部１４２には上方に突出した当接部１４２Ａが形成されている。第２実施形態では、外レール部２８、内レール部２９および中レール部１４の上片部２８３，２９３，１４２の高さ位置（特に当接部２８３Ａ，２９３Ａ，１４２Ａの高さ位置）は同じ高さ位置に揃えられている。
このように下枠２２Ｂでは、外レール部２８および内レール部２９間の空間が中レール部１４に沿って屋外側空間と屋内側空間とに仕切られ、この両空間に風止板３２がそれぞれ設置されている。
縦枠２３Ｂは、前述した縦枠２３と比べて、外周見込み面部２３２および内周見込み面部２３３の見込み寸法が大きくされ且つ外延出部２３５および内延出部２３６の間に中延出部１５を有する点で相違し、これらの点以外は概略同様に構成されているので、図に同符号を適宜付す。中延出部１５は、外延出部２３５や内延出部２３６と同様に一対の側片部１５１，１５２およびキャップ部材１５３を有して構成されている。
なお、縦枠２４Ｂは、縦枠２３Ｂと概略同様に構成されており、Ｘ軸方向において左右逆向きに配置されているので、縦枠２４Ｂについての詳細な説明を省略し、縦枠２４Ｂの各構成については、縦枠２３Ｂの各構成と同符号を図に適宜付す。
【００２５】
外障子４Ｂは、前述した外障子４と比べて、縦框４４ではなく、Ｚ軸方向に張り出した張出部４５０を有した縦框４４Ｂ（召合せ縦框）を備える点で相違し、この点以外は概略同様に構成されているので、図に同符号を適宜付す。外障子４Ｂの屋外見付け面部４２４，４３４，４４４は、下枠２２Ｂおよび縦枠２３Ｂ，２４Ｂの全体よりも屋外側に位置し、且つ、上框４１の屋外上縁部は上枠２１Ｂのカバー片部２７によって屋外側から覆われる。なお、下框４２のＹ軸方向における高さ寸法は、内障子５Ｂおよび中障子６Ｂの後述する下框５２，６２のＹ軸方向における高さ寸法と同じ寸法とされている。縦框４４Ｂは、張出部４５０を除き、前述した縦框４４と同様に構成されているので、詳細な説明を省略して図に同符号を適宜付す。張出部４５０は、屋外見付け面部４４４から屋外側に延出した一対の張出側片部４５１，４５２と、張出側片部４５１，４５２の屋外端部に連続した張出見付け片部４５３とによって構成されている。このように縦框４４Ｂが張出部４５０を有するので、縦框４４Ｂの強度を向上でき、且つ、張出部４５０を把持することで外障子４ＢをＸ軸方向に簡単に移動操作できる。
内障子５Ｂは、前述した内障子５と比べて、縦框５４ではなく、Ｚ軸方向に張り出した張出部５５０を有した縦框５４Ｂ（召合せ縦框）を備える点で相違し、この点以外は概略同様に構成されているので、図に同符号を適宜付す。縦框５４Ｂは、張出部５５０を除き、前述した縦框５４と同様に構成されているので、詳細な説明を省略して図に同符号を適宜付す。張出部５５０は、屋内見付け面部４４１から屋内側に延出した一対の張出側片部５５１，５５２と、張出側片部５５１，５５２の屋内端部に連続した張出見付け片部５５３とによって構成されている。このように縦框５４Ｂが張出部５５０を有するので、縦框５４Ｂの強度を向上でき、且つ張出部５５０を把持することで内障子５ＢをＸ軸方向に簡単に移動操作できる。
中障子６Ｂは、上框６１、下框６２、左右の縦框６３，６４および面材６５を框組みして構成されている。上框６１、下框６２、左右の縦框６３，６４はアルミ押出形材によって形成されている。下框６２には、中レール部１４に走行可能に載せられる戸車６６が取り付けられている。面材６５は、複層のガラスパネルによって形成されているが、これに限らず、単層のガラスパネルであってもよい。中障子６Ｂの上框６１、下框６２、縦框６４および面材６５は、外障子４Ｂの上框４１、下框４２、縦框４４Ｂ（召合せ縦框）および面材４５と概略同様に構成されているので、これらの構成についての詳細な説明を省略して図に同符号を適宜付す。また、縦框６３は、内障子５Ｂの縦框５４Ｂと概略同様に構成されているので詳細な説明を省略し、図に同符号を適宜付す。中障子６Ｂの縦框６３は、外障子４Ｂとの関係において召合せ部を構成する召合せ縦框であり、張出部５５０を有いるので、強度が向上され且つＸ軸方向に移動操作しやすい構成となっている。中障子６Ｂの縦框６４は、内障子５Ｂとの関係において召合せ部を構成する召合せ縦框であり、張出部４５０を有しているので、強度が向上され且つＸ軸方向に移動操作しやすい構成となっている。
【００２６】
以上の引き違い窓１Ｂでは、外障子４Ｂの屋内見付け面部４１１，４２１，４３１に装着されたシール材４８と、外レール部２８および中レール部１４間に設置された風止板３２および縦框６３のシール材４４７と、中障子６Ｂの屋内見付け面部４１１，４２１に装着されたシール材４８と、中レール部１４および内レール部２９間に設置された風止板３２および縦框５４Ｂのシール材４４７と、内障子５Ｂの屋内見付け面部４１１，４２１，４３１に装着されたシール材４８とによって、屋内外間を止水する止水ラインが形成される。
【００２７】
次に、第２実施形態に係る引き違い窓１Ｂの作用について説明する。
砂塵が多い地域に引き違い窓１Ｂが設置された場合、砂塵が窓枠２Ｂおよび外障子４Ｂ間に入り込もうとするが、外障子４Ｂの屋外見付け面部４１４，４２４，４３４に装着されたシール材４８が窓枠２Ｂおよび外障子４Ｂ間に対する砂塵の入り込みを防ぐ。また、外障子４Ｂの屋内見付け面部４４１に装着されたシール材４４７および風止板３２は縦框４４Ｂ，６３間に対する砂塵の入り込みを防ぐ。
また、砂塵が窓枠２Ｂおよび中障子６Ｂの間に入り込もうとするが、中障子６Ｂの屋外見付け面部４１４，４２４に装着されたシール材４８が窓枠２Ｂ（上枠２１Ｂ、下枠２２Ｂ）および中障子６Ｂ間に対する砂塵の入り込みを防ぐ。
更に、砂塵が窓枠２Ｂおよび内障子５Ｂ間に入り込もうとするが、内障子５Ｂの屋外見付け面部４１４，４２４，４３４に装着されたシール材４８が窓枠２Ｂおよび内障子５Ｂ間に対する砂塵の入り込みを防ぐ。また、中障子６Ｂの屋内見付け面部４４１に装着されたシール材４４７および風止板３２は縦框５４Ｂ，６４間に対する砂塵の入り込みを防ぐ。
ここで、外障子４Ｂの下框４２の屋外見付け面部４２４が下枠２２Ｂの全体（特に屋外見付け面）よりも屋外側に配置されているので、下框４２が下枠２２Ｂに対する屋根としての機能を備えている。このため、屋外側で舞う砂塵が下框４２および下枠２２Ｂ間に入り込みにくい構造にできる。また、外レール部２８には、立上げ片部２８１から屋外側に延出した上片部２８３および上片部２８３から下方に延出した屋外片部２８４によって砂返し構造が構成されており、これによっても、下框４２および下枠２２Ｂ間に砂塵が入り込みにくくなっている。また、上枠２１Ｂのカバー片部２７が上框４１の屋外上縁部を覆っているので、上框４１上に砂塵が積もることを抑制している。このように砂塵が多い地域であっても引き違い窓１を通常使用できる。
【００２８】
雨天時には、屋外側から引き違い窓１Ｂに雨水が吹き付けられるが、屋内側への雨水の浸入は前述した止水ラインによって抑制される。ここで、雨水は毛細管現象や運動エネルギーによって中障子６Ｂや内障子５Ｂの框内に浸入し、外レール部２８および中レール部１４間と、中レール部１４および内レール部２９間との各屋内側領域３５Ｂに雨水が入り込むおそれがあるが、第１実施形態と概略同様に雨水を屋外側へ排水可能である。なお、中レール部１４には図示しない排水口が形成されており、このため、中レール部１４および内レール部２９間の屋内側領域３５Ｂにおける雨水は、中レール部１４の排水口を通って、外レール部２８および中レール部１４間の屋内側領域３５Ｂに入り込み、外レール部２８の排水口３０から屋外側に排水される。
【００２９】
[変形例]
第１実施形態では、外レール部２８の上片部２８３の高さ位置が内レール部２９の上片部２９３の高さ位置よりも低い位置に配置されているが、これに限らず、例えば排水口３０からの排水量が十分に確保できる場合には、図７に示す第１変形例のように、上片部２８３および上片部２９３の高さ位置を同じ高さ位置に揃えてもよい。これにより、外障子４の下框４２として、内障子５の下框５２と同じ高さ寸法の下框を適用でき、部品の共通化を図ることができてコスト削減できる。
第２実施形態では、外レール部２８の上片部２８３および中レール部１４の上片部１４２の高さ位置は内レール部２９の上片部２９３の高さ位置と同じ高さ位置に揃えられているが、これに限らず、図８に示す第２変形例のように、上片部２８３，１４２の高さ位置が上片部２９３の高さ位置よりも低い位置に配置されてもよい。この場合、下框４２，６２の高さ寸法は下框５２の高さ寸法よりも大きい寸法とされて面材４５，６５，５５の下縁側の開口高さ位置が揃えられていてもよい。
第１、第２実施形態では、上枠２１，２１Ｂはカバー片部２７を有しているが、例えば上枠本体部２１０がＺ軸方向に延長されて屋外見付け面部２１４が上框４１の屋外見付け面部４１４よりも屋外側に配置される場合には、カバー片部２７の構成を省略してもよい。
第１、第２実施形態では、排水口３０、排水部品３１などを備えて屋内側領域３５Ｂから屋外側へ排水可能に構成されているが、例えば屋内側領域３５Ｂへの水の浸入がほとんど生じない構成である場合や、雨がほとんど降らない地域に設置されて排水経路を構成する必要がない場合には、これらの構成を省略してもよい。
第１、第２実施形態では、下框４２と縦框４３とのコーナー部分に止水材４９が増設されているが、屋内側に水が引き込まれるような大きな屋内外気圧差が生じない地域に引き違い窓１が設置される場合などには、止水材４９の構成を省略してもよい。
第１、第２実施形態では、外レール部２８は、立上げ片部２８１、上片部２８３および屋外片部２８４を有して砂塵返し構造とされているが、これに限らず、例えば内レール部２９と同様に一対の側片部および上片部を備えて中空枠状に形成されていてもよい。
第１、第２実施形態では、下枠２２，２２Ｂの内周見込み面部２２３は、傾斜部２２３Ａを有しているが、これに限らず、傾斜部２２３Ａを有さずにＺ軸方向に沿って平坦に形成されていてもよい。
第２実施形態では、縦框４４Ｂ，５４Ｂ，６３，６４に張出部４５０，５５０がそれぞれ形成されているが、これに限らず、張出部４５０，５５０の構成を省略してもよい。また、第１実施形態の縦框４４，５４に張出部４５０，５５０を形成してもよい。
【００３０】
[本発明のまとめ]
本発明の引き違い窓は、窓枠および前記窓枠内に配置された複数の障子を備えた引き違い窓であって、前記窓枠は、上枠、下枠および左右の縦枠を備え、前記下枠は、前記複数の障子が載置される複数のレール部を有し、前記複数の障子のそれぞれは、上框、下框および左右の縦框によって構成される框内に面材を備え、前記複数のレール部のうち最も屋外側に位置するレール部には屋外側に連通する排水口が形成され、前記排水口には、屋外側からの水および砂塵の吹き込みを防止する排水部品が装着され、前記複数の障子のうち最も屋外側に位置する障子の前記下框の屋外見付け面は、前記下枠の屋外端面よりも屋外側に配置されていることを特徴とする。
本発明の引き違い窓によれば、屋外を舞う砂塵が最も屋外側に位置する障子に当たっても、砂塵は当該障子の下框の屋外見付け面に沿って落ちるので、下框に対する下側部分では下枠上に砂塵が溜まりにくくできる。このため、下枠および障子間に溜まる砂塵を少なくでき、この砂塵による排水口からの排水への影響を軽減することができて、排水性を保つことができる。
【００３１】
本発明の引き違い窓では、前記上枠は、上枠本体部と、前記上枠本体部から屋外側に延出したカバー片部とを有し、前記上框の屋外見付け面は前記上枠本体部の屋外見付け面よりも屋外側に配置され、前記カバー片部は、前記複数の障子のうち最も屋外側に位置する障子の上框における上縁を屋外側から覆っていてもよい。
このような構成によれば、上框のうち上枠本体部よりも屋外側に位置する部分に砂塵が降り掛かることをカバー片部によって抑制でき、引き違い窓を上枠および障子の上框間に砂塵が入り込みにくい構成にできる。
【００３２】
本発明の引き違い窓では、前記複数の障子のうち最も屋外側に位置する障子における左右の縦框のうち戸先側の縦框の屋外見付け面は、前記左右の縦枠のうち戸先側の縦枠の屋外見付け面よりも屋外側に配置されていてもよい。
このような構成によれば、屋外を舞う砂塵が戸先側の縦枠や縦框に吹き付けられても、砂塵は縦枠および縦框間に堆積することなく落ちる。また、砂塵が縦框にある程度付着しても、最も屋外側に位置する障子を開放操作する際に砂塵が縦枠および縦框間に落ちることなく縦框に沿って屋外側に落ちる。このように、引き違い窓を縦枠および縦框間に砂塵が入り込みにくい構成にできる。
【００３３】
本発明の引き違い窓では、前記下枠は、前記複数のレール部が延出した下枠本体部を有し、前記複数のレール部のうち最も屋外側に位置するレール部は、前記下枠本体部から上方に延出した立上げ片部と、前記立上げ片部から屋外側に延出した上片部と、前記上片部の屋外端部から下方に延出した屋外片部とを有し、前記複数の障子のうち最も屋外側に位置する障子の下框は、前記屋外片部に当接するシール材が装着された屋外見付け面部を有し、前記排水口は前記立上げ片部に形成されていてもよい。
このような構成によれば、下框の屋外見付け面部に装着されたシール材によって最も屋外側に位置するレール部の屋外片部との間を塞いで砂塵や水の浸入を防ぐことができる。また、前述した立上げ片部、上片部および屋外片部によって砂塵返しを構成でき、これにより下枠および下框間に砂塵がより入りにくい構成にできる。更に、立上げ片部に形成された排水口に装着される排水部品は、上片部に対する下側部分に収められるので砂塵が掛かりにくい配置にでき、排水性をより好適に保つことができる。
【００３４】
本発明の引き違い窓では、前記下枠は、前記複数のレール部間において屋外側が屋内側より低い位置となるように見込み方向に対して傾斜した見込み面部を有していてもよい。
このような構成によれば、複数のレール部間の領域に浸入した水を見込み面部に沿って屋外側に流すことができ、より円滑に排水できる。
【００３５】
本発明の引き違い窓では、前記複数のレール部のうち最も屋外側に位置するレール部の上端は、当該レール部よりも屋内側に位置するレール部の上端よりも低い位置に配置されていてもよい。
このような構成によれば、複数のレール部間に浸入する水の水量が前述した排水口からの排水量を上回って当該水の水位が高くなっても、水が最も屋外側に位置するレール部を越えて屋外側に排水されるので、上端が最も屋外側に位置するレール部の上端よりも高い位置にある屋内側のレール部を水が越えて屋内側に浸入することがない。
【符号の説明】
【００３６】
１，１Ｂ…引き違い窓、２，２Ｂ…窓枠、４，４Ｂ…外障子、５，５Ｂ…内障子、６Ｂ…中障子、１３，１４…中レール部、２１，２１Ｂ…上枠、２２，２２Ｂ…下枠、２３，２３Ｂ，２４，２４Ｂ…縦枠、２５，２８…外レール部、２６，２９…内レール部、４１，５１，６１…上框、４２，５２，６２…下框、４３，４４，４４Ｂ，５３，５４，５４Ｂ，６３，６４…縦框、４５，５５，６５…面材。
【図１】
2020169483.tif 000003
【図２】
2020169483.tif 000004
【図３】
2020169483.tif 000005
【図４】
2020169483.tif 000006
【図５】
2020169483.tif 000007
【図６】
2020169483.tif 000008
【図７】
2020169483.tif 000009
【図８】
2020169483.tif 000010